(57)【要約】【課題】  住戸内で火災が発生した際に、関連する住戸玄関機カメラの撮像映像や、共用部を撮像する共用部カメラの撮像映像を、集合玄関機に設けたモニタに出画させる集合住宅インターホンシステムを提供する。【解決手段】  集合玄関機１に、住戸玄関機カメラ２１が撮像した映像を出画するモニタ１５を設け、制御機５は火災感知器６が火災を感知したら、住戸玄関機カメラ２１を起動させてその映像信号を集合玄関機１に送信し、集合玄関機モニタ１５に出画させると共に、関連する住人情報を住人情報記憶部３５から入手して集合玄関機モニタ１５に表示させた。更に、選択操作により共用部カメラ７の映像信号も集合玄関機モニタ１５に出画可能とした。【選択図】  図１
2009130522.tif 000002
【特許請求の範囲】
【請求項１】
居住者を呼び出すために集合住宅のエントランスに設置された集合玄関機と、来訪者を撮像するためのカメラを備え、居住者を呼び出すために住戸毎の玄関先に設置された住戸玄関機と、前記集合玄関機及び前記住戸玄関機からの呼び出に応答するために個々の住戸内に設置された居室親機と、前記集合玄関機、前記居室親機間の呼出／通話を制御する制御機と、住戸内に設置されて火災を感知したら前記居室親機及び前記制御機に通知する火災感知器と、を備えた集合住宅インターホンシステムにおいて、
前記集合玄関機に、前記住戸玄関機のカメラが撮像した映像を出画するモニタを設け、前記制御機は、前記火災感知器が火災を感知したら、前記住戸玄関機のカメラを起動させてその映像信号を前記集合玄関機に送信する映像伝送路を形成し、前記集合玄関機のモニタに出画させる映像制御部を有することを特徴とする集合住宅インターホンシステム。
【請求項２】
居住者を呼び出すために集合住宅のエントランスに設置された集合玄関機と、前記集合玄関機からの呼び出に応答するために個々の住戸内に設置された居室親機と、集合住宅の共用部を撮像する共用部カメラと、前記集合玄関機、前記居室親機間の呼出／通話を制御する制御機と、住戸内に設置されて火災を感知したら前記居室親機及び前記制御機に通知する火災感知器とを備えた集合住宅インターホンシステムにおいて、
前記集合玄関機に、前記共用部カメラが撮像した映像を出画するモニタを設け、前記制御機は、前記火災感知器が火災を感知したら、前記共用部カメラの撮像映像信号を前記集合玄関機に送信する映像伝送路を形成し、前記集合玄関機のモニタに出画させる映像制御部を有することを特徴とする集合住宅インターホンシステム。
【請求項３】
前記制御機は、個々の住戸の居住者情報を記憶する住人情報記憶部を備え、前記火災感知器による火災感知を受けて、関連する住人情報を前記住人情報記憶部から読み取って前記集合玄関機のモニタに表示させる住人情報表示制御部を備えたことを特徴とする請求項１又は２記載の集合住宅インターホンシステム
【請求項４】
前記集合玄関機や前記居室親機と通話を可能とする管理室親機を備え、前記映像制御部は前記火災感知器による火災感知を受けて、前記管理室親機に対しても映像信号を送信することを特徴とする請求項１乃至３の何れかに記載の集合住宅インターホンシステム。
【請求項５】
前記制御機は、各住戸に対して隣接する左右及び上下の住戸うち少なくとも左右の住戸の住戸玄関機カメラ番号を記憶する隣接カメラ情報記憶部を備え、
前記映像制御部は、前記火災感知器が火災を感知したら、隣接する住戸玄関機カメラを前記隣接カメラ情報記憶部から読み出し、そのカメラの撮像映像も前記集合玄関機に送信し、前記集合玄関機モニタに出画可能とすることを特徴とする請求項１記載の集合住宅インターホンシステム。
【発明の詳細な説明】
【技術分野】
【０００１】
本発明は、集合住宅インターホンシステムに関し、特に居室親機に火災感知器が接続された集合住宅居インターホンシステムに関する。
【背景技術】
【０００２】
集合住宅インターホンシステムは、集合玄関機と個々の住戸に設置された居室親機との間で呼び出し及び通話を実施するものであるが、集合玄関機及び個々の住戸に設置された住戸玄関機にカメラを設置すると共に、個々の居室親機にその撮像映像を出画するモニタを設置し、集合玄関機及び住戸玄関機からの呼び出しに応答する居住者は、来訪者を見ながら応答することができるよう構成したものが普及している。更には居室親機に火災感知器等のセキュリティセンサを接続して、火災発生等の非常事態が発生したら発報動作する集合住宅インターホンシステムがある（例えば、特許文献１参照）。
また、廊下等の共用部にカメラ（共用部カメラ）を設置して、居室親機等でその撮像映像を見ることを可能とした集合住宅インターホンシステムがある（例えば、特許文献２参照）。
【０００３】
【特許文献１】特開２００４−２９７５６９号公報
【特許文献２】特開２００７−５３６３２号公報
【発明の開示】
【発明が解決しようとする課題】
【０００４】
しかしながら、上記従来の集合住宅インターホンシステムでは、集合玄関機や個々の住戸玄関機に設置されているカメラは、来訪者を撮像するために動作するだけであるし、関連する居室親機でしか出画させることができなかった。また、共用部カメラにおいても、管理室親機や居室親機で出画させることができても、火災発生等の非常時に連動して動作するものではなかった。
そのため、居室親機に接続されている火災感知器が感知動作しても、既存のカメラを利用して、火災発生場所付近の映像を集合玄関機等で見たりすることができず、せっかく複数のカメラが設置されていても、消火活動や救助活動のために有効に活用されていなかった。
【０００５】
そこで、本発明はこのような問題点に鑑み、住戸内で火災が発生した際に、関連する住戸玄関機カメラの撮像映像や、共用部を撮像する共用部カメラの撮像映像を、集合玄関機に設けたモニタに出画させるようにした集合住宅インターホンシステムを提供することを目的とする。
【課題を解決するための手段】
【０００６】
上記課題を解決する為に、請求項１の発明は、居住者を呼び出すために集合住宅のエントランスに設置された集合玄関機と、来訪者を撮像するためのカメラを備え、居住者を呼び出すために住戸毎の玄関先に設置された住戸玄関機と、集合玄関機及び住戸玄関機からの呼び出に応答するために個々の住戸内に設置された居室親機と、集合玄関機、居室親機間の呼出／通話を制御する制御機と、住戸内に設置されて火災を感知したら居室親機及び制御機に通知する火災感知器と、を備えた集合住宅インターホンシステムにおいて、集合玄関機に、住戸玄関機のカメラが撮像した映像を出画するモニタを設け、制御機は、火災感知器が火災を感知したら、住戸玄関機のカメラを起動させてその映像信号を集合玄関機に送信する映像伝送路を形成し、集合玄関機のモニタに出画させる映像制御部を有することを特徴とする。
この構成によれば、火災発生を受けて集合玄関機のモニタに住戸前の映像が出画されるので、消火活動や救助活動を行う際、状況の把握に役立てることができる。
【０００７】
請求項２の発明は、居住者を呼び出すために集合住宅のエントランスに設置された集合玄関機と、集合玄関機からの呼び出に応答するために個々の住戸内に設置された居室親機と、集合住宅の共用部を撮像する共用部カメラと、集合玄関機、居室親機間の呼出／通話を制御する制御機と、住戸内に設置されて火災を感知したら居室親機及び制御機に通知する火災感知器とを備えた集合住宅インターホンシステムにおいて、集合玄関機に、共用部カメラが撮像した映像を出画するモニタを設け、制御機は、火災感知器が火災を感知したら、共用部カメラの撮像映像信号を集合玄関機に送信する映像伝送路を形成し、集合玄関機のモニタに出画させる映像制御部を有することを特徴とする。
この構成によれば、火災発生を受けて集合玄関機のモニタに共用部の映像が出画されるので、火災が発生した住戸付近の状況を見ることが可能で、消火活動や救助活動を行う際、状況の把握に役立てることができる。
【０００８】
請求項３の発明は、請求項１又は２に記載の発明において、制御機は、個々の住戸の居住者情報を記憶する住人情報記憶部を備え、火災感知器による火災感知を受けて、関連する住人情報を住人情報記憶部から読み取って集合玄関機のモニタに表示させる住人情報表示制御部を備えたことを特徴とする。
この構成によれば、集合玄関機にて、住戸玄関機カメラの撮像映像に加えて火災発生元に居住する住人の情報が集合玄関機に表示されることで、救助活動者は居住者の情報を速やかに入手でき、救助活動等に役立つ。
【０００９】
請求項４の発明は、請求項１乃至３の何れかに記載の発明において、集合玄関機や居室親機と通話を可能とする管理室親機を備え、映像制御部は火災感知器による火災感知を受けて、管理室親機に対しても映像信号を送信することを特徴とする。
この構成によれば、管理室親機でも集合玄関機のモニタと同一の映像が出画されるため、消化活動や救助活動に役立てることができるし、火災の状況に応じて放送や連絡がし易い。
【００１０】
請求項５の発明は、請求項１に記載の発明において、制御機は、各住戸に対して隣接する左右及び上下の住戸うち少なくとも左右の住戸の住戸玄関機カメラ番号を記憶する隣接カメラ情報記憶部を備え、映像制御部は、火災感知器が火災を感知したら、隣接する住戸玄関機カメラを隣接カメラ情報記憶部から読み出し、そのカメラの撮像映像も集合玄関機に送信し、集合玄関機モニタに出画可能とすることを特徴とする。
この構成によれば、火災発生元のカメラに加えて、その周囲の住戸のカメラからの撮像映像も集合玄関機で把握できるので、火災の状況を更に正確に把握できる。
【発明の効果】
【００１１】
本発明によれば、火災発生時に住戸玄関機のカメラ撮像映像や共用部カメラの撮像映像を集合玄関機に出画させるので、火災が発生した住戸前や付近の映像を集合玄関機で見ることができ、消火活動や救助活動を行う際、状況の把握に役立てることができる。
【発明を実施するための最良の形態】
【００１２】
以下、本発明を具体化した実施の形態を、図面に基づいて詳細に説明する。図１は本発明に係る集合住宅インターホンシステムの一例を示す構成図であり、１は居住者を呼び出すために集合住宅のエントランスに設置された集合玄関機、２は夫々の住戸玄関に設置され居住者を呼び出すための住戸玄関機、３は集合玄関機１及び住戸玄関機２からの呼び出に応答するために個々の住戸内に設置された居室親機、４は集合玄関機１や居室親機３と通話するために管理室に設置された管理室親機、５は集合玄関機１、居室親機３、管理室親機４間の通信を制御する制御機、６は住戸内に設置されて火災を感知したら居室親機３及び制御機５に通知する火災感知器、７は廊下等の共用部を撮像する共用部カメラである。
【００１３】
集合玄関機１は玄関機伝送線Ｌ１を介して制御機５に接続され、居室親機３及び共用部カメラ７は親機幹線Ｌ２を介して制御機５に接続されている。居室親機３は個々の住戸に設置され、共用部カメラ７は各フロアの廊下等の共用部を撮像するよう複数設置されている。また、住戸玄関機２は対応する居室親機３に伝送線Ｌ３を介して接続され、管理室親機４は親機伝送線Ｌ４を介して制御機５に接続されている。更に、火災感知器６は伝送線Ｌ５を介して居室親機３に接続されている。
【００１４】
集合玄関機１は、呼出先の住戸を選択してその居住者を呼び出すためのタッチパネルから成る操作部１１、居住者と通話するためのマイク１２及びスピーカ１３、来訪者を撮像するための集合玄関機カメラ１４、送信されてきた映像信号等を出画する集合玄関機モニタ１５を備えている。また住戸玄関機２は、居住者を呼び出すための呼出ボタン１８、居住者と通話するためのマイク１９及びスピーカ２０、来訪者を撮像するための住戸玄関機カメラ２１を備えている。
【００１５】
居室親機３は、集合玄関機１、及び住戸玄関機２からの呼び出しに応答するためのハンドセット２４及びハンズフリー応答を実施するマイク２５及びスピーカ２６、集合玄関機カメラ１４又は住戸玄関機カメラ２１からの映像信号を出力するための親機モニタ２７、集合玄関機１又は住戸玄関機２からの呼び出しにハンズフリー応答するための通話ボタン２８、各種操作を行うタッチパネルから成る操作部２９を備えている。尚、管理室親機４は居室親機３と同様の構成であるため説明を省略する。
【００１６】
制御機５は、集合玄関機１と通信するための第１インターフェース（第１ＩＦ）３２、居室親機３，共用部カメラ７と通信するための第２インターフェース（第２ＩＦ）３３、管理室親機４と通信するための第３インターフェース（第３ＩＦ）３４、夫々の住戸の家族構成や自力避難の難しい人の有無等の住人情報が記憶されている住人情報記憶部３５、夫々の住戸の居室親機３に対して隣接する左右及び上下の住戸の住戸玄関機カメラ２１の番号、及び共用部カメラ７の配置を記憶する隣接カメラ情報記憶部３６、制御機５を制御する制御機制御部３７を備えている。
【００１７】
上記構成の集合住宅インターホンシステムは次のように動作する。先ず、集合玄関機１から呼び出しが成された場合の動作を説明する。
集合玄関機１の操作部１１を操作して呼び出す住戸が選択されると、呼出信号が制御機５に送信され、同時に集合玄関機カメラ１４が来訪者の撮像を開始する。呼出信号を受けた制御機制御部３７は、集合玄関機１において選択操作された居室親機３へ呼出信号を送信し、同時に集合玄関機カメラ１４の撮像映像信号をその居室親機３に伝送する。
【００１８】
呼出信号を受信した居室親機３は、スピーカ２６から呼出音を鳴動させると共に、受信した映像信号を親機モニタ２７から出画させる。そして、集合玄関機１から居室親機３に対して送話路が形成されて、集合玄関機１のマイク１２から音声が入力されたら居室親機３に伝送され、居室親機３のスピーカ２６から報音される。
一方、居室親機３の通話ボタン２８等により応答操作が成されると、制御機制御部３７は双方向通話路を形成し、居室親機３のマイク２５或いはハンドセット２４から入力された音声が、制御機５を介して集合玄関機１のスピーカ１３にて出力される。こうして、集合玄関機１からの呼出操作を元に集合玄関機１と居室親機３との間で通話が実施される。
【００１９】
また、住戸玄関機２の呼出ボタン１８の操作により呼び出しが成されると、呼出信号が居室親機３に送信されて居室親機３のスピーカ２６から呼出音が報音される。同時に、住戸玄関機カメラ２１が起動し、撮像された映像信号が親機モニタ２７にて出画される。呼出音を受けて、居住者により居室親機３の通話ボタン２８が操作、或いはハンドセット２４が操作されて応答操作されると、居室親機３と住戸玄関機２の間で通話路が形成され、通話が可能となる。
【００２０】
次に、火災感知器６が火災を感知した場合の動作を説明する。居室親機３は、火災感知器６からの火災発生信号を受信すると、火災発生信号を制御機５に送信すると共にスピーカ２６から警報音を発報する。この火災発生信号を受信した制御機制御部３７は、火災が発生した住戸の居室親機３を制御して住戸玄関機カメラ２１を起動させる。そして、その居室親機３と集合玄関機１間の映像伝送路を形成し、住戸玄関機カメラ２１の撮像映像信号を、居室親機３を介して集合玄関機１に送信する。こうして、集合玄関機モニタ１５にて火災が発生した住戸の玄関先映像が出画される。
同時に、制御機制御部３７は、火災が発生した住戸の住人情報を住人情報記憶部３５から読み取り、集合玄関機モニタ１５に住戸玄関機カメラ２１の撮像映像と共に表示させる。また、このとき管理室親機４の親機モニタ２７にも、制御機５から住戸玄関機カメラ２１の映像信号及び住人情報記憶部３５の住人情報が送信され、出画及び表示される。
【００２１】
そして、火災発生を受けて住戸玄関機カメラ２１の撮像映像が集合玄関機１に出画されている状態で、集合玄関機１の操作部１１を操作して画像切替操作が行われると、制御機５は更に次のような制御を実施する。
画像切替ボタンは、モニタ１５上のタッチパネルに例えば「次画面」として表示され、タッチ操作すると最初に共用部カメラ７の撮像映像に切り替わる。この場合、火災が発生したフロアの廊下を撮像する共用部カメラ７を制御機制御部３７が選択し、この撮像映像が出画される。このとき選択される共用部カメラ７の情報は、隣接カメラ情報記憶部３６から読み出される。なお、この切替操作を受けて管理室親機４の親機モニタ２７にも同一の映像が出画される。
【００２２】
そして、更に切替ボタンが操作されると、今度は火災が発生した住戸に隣接する住戸玄関機カメラ２１の撮像映像が出画される。この場合、左右上下に住戸がある（住戸玄関機２がある）場合は、集合玄関機モニタ１５の画面が４分割されて、同時に４箇所の映像が出画される。この場合の住戸玄関機２の選択も共用部カメラ７の選択と同様に、隣接カメラ情報記憶部３６から読み出されて選択撮像操作される。
【００２３】
このように、火災が発生した住戸前の映像を集合玄関機で見ることが可能となり、消火活動や救助活動を行う際、状況の把握に役立てることができる。また、火災発生を受けて共用部の映像も集合玄関機で見ることができるため、火災が発生した住戸付近の状況をさらに詳しく見ることができる。
更に、集合玄関機にて、住戸玄関機カメラの撮像映像に加えて火災発生元に居住する住人の情報が集合玄関機に表示されることで、救助活動者は居住者の情報を速やかに入手でき、救助活動等に役立てることができる。
また、火災発生元のカメラの撮像映像に加えて、その周囲の住戸玄関機カメラからの撮像映像も集合玄関機で見ることができるため、火災の状況を更に正確に把握できるし、管理室親機でも集合玄関機のモニタと同一の映像が出画されるので、消化活動や救助活動に役立てることができるし、状況に応じて放送や連絡がし易い。
【００２４】
尚、上記実施形態では、火災発生時にまず、関連する住戸玄関機カメラ２１が撮像した映像を集合玄関機１に出画させているが、最初に火災が発生したフロアの廊下等を撮像する共用部カメラ７の映像を出画させ、切替操作により住戸玄関機カメラ２１の撮像映像を出画させても良い。また、隣接する住戸玄関機カメラ２１の撮像映像を出画させる場合は、左右の住戸の映像のみ出画させるだけでも良く、状況判断に有効に活用できる。更に、集合玄関機１の操作部１１をモニタ１５上にタッチパネルとして設けているが、モニタ１５は操作部１１と独立して設けても良い。
【図面の簡単な説明】
【００２５】
【図１】本発明に係る集合住宅インターホンシステムの一例を示す構成図である。
【符号の説明】
【００２６】
１・・集合玄関機、２・・住戸玄関機、３・・居室親機、４・・管理室親機、５・・制御機、６・・火災感知器、７・・共用部カメラ、１１・・操作部、１５・・集合玄関機モニタ（モニタ）、２１・・住戸玄関機カメラ（カメラ）、３５・・住人情報記憶部、３６・・隣接カメラ情報記憶部、３７・・制御機制御部（映像制御部、住人情報表示制御部）。
【図１】
2009130522.tif 000003